(57)【要約】【課題】装着したシートベルトの下から、幼児がすり抜けるのを防止することができる手段を提供すること。【解決手段】小児の股間部に配置されるように形成された股間当接部と、当該股間当接部の下端に設けたジュニアシートに対する固定手段および当該股間当接部の上方に設けた車載されているシートベルトとの係合手段を備えること。前記固定手段および係合手段は、前記股間当接部と一体を成すベルトによって形成することができる。また、前記係合手段を、前記ベルトによって環状に形成した挿通孔によって形成することができる。【選択図】図１
2010184617.tif 000002
【特許請求の範囲】
【請求項１】
小児の股間部に配置されるように形成された股間当接部と、当該股間当接部の下端に設けたジュニアシートに対する固定手段および上方に設けた車載されているシートベルトとの係合手段を備えたことを特徴とするジュニアシート用補助具。
【請求項２】
前記固定手段および係合手段が前記股間当接部と一体を成すベルトによって形成されていることを特徴とする請求項１記載のジュニアシート用補助具。
【請求項３】
前記係合手段が前記ベルトによって環状に形成された挿通孔であることを特徴とする請求項２記載のジュニアシート用補助具。
【発明の詳細な説明】
【技術分野】
【０００１】
本発明は、ジュニアシート用補助具に関するものである。
【背景技術】
【０００２】
小さな子供を自動車に搭乗させる場合には、チャイルドシートの使用が義務付けられている。このチャイルドシートには、バケットシート状の大型のものから着座位置を高くするだけの図４に示すような台型のものまで各種多様なものが存在する。また、この台型のチャイルドシートは通称ジュニアシート称されている。当該ジュニアシートに関する文献としては特許文献１乃至４に示すものがある。
【先行技術文献】
【特許文献】
【０００３】
【特許文献１】実公昭６２−２８５２８号公報
【特許文献１】実公平６−９８８７号公報
【特許文献１】特開２００１−１８６９６号公報
【特許文献１】特開２００１−１８０３４５号公報
【発明の概要】
【発明が解決しようとする課題】
【０００４】
上記ジュニアシートは、主として乳児期を脱して体格が少し大きくなった幼児または学童によく用いられる。しかし、特に幼児の場合には活動が活発であり、ジュニアシートに座っていられずにシートベルトの下からすり抜けて出てしまうことがある。
本発明は、このようなベルト下からのすり抜けを防止する手段の提供を課題とするものである。
【課題を解決するための手段】
【０００５】
上記課題を解決するために、本発明に係る第１の手段は以下の構成を有する。すなわち、ジュニアシートに装着する補助具であって、
小児の股間部に配置されるように形成された股間当接部と、当該股間当接部の下端に設けたジュニアシートに対する固定手段および上方に設けた車載されているシートベルトとの係合手段を備えたことを特徴とする。
【０００６】
また、本発明に係る第２の手段は、上記第1の手段に加えて以下の構成を有するものである。すなわち、前記固定手段および係合手段が前記股間当接部と一体を成すベルトによって形成されていることを特徴とする。
【０００７】
また、本発明に係る第３の手段は、上記第２の手段に加えて以下の構成を有するものである。すなわち、前記係合手段が前記ベルトによって環状に形成された挿通孔であることを特徴とする。
【発明の効果】
【０００８】
本発明に係るジュニアシート用補助具は、搭乗者の身体を車載されたシートベルトによって拘束する際に、当該シートベルトを挿通させる等の簡単な方法によって股間当接部と係合することにより、搭乗者の前方への移動を防ぐことができるものである。本発明に係るジュニアシート用補助具は、車載されたシートベルトとの係合方法が簡単であり構造も単純なものである。したがって、落ち着きのない子供に用いる場合であっても、素早く装着でき、素早く装着を解除することができるという効果を有している。
また、本発明に係るジュニアシート用補助具は、固定手段および係合手段を含め全体を一本のベルトによって形成することができる。したがって、既成のジュニアシートに対して着脱可能に取り付けることが出来るジュニアシート用補助具を、安価に形成することができるという効果を有している。
【図面の簡単な説明】
【０００９】
【図１】本発明に係るジュニアシート用補助具の外観斜視図である。
【図２】本発明に係るジュニアシート用補助具を装着したジュニアシートの外観斜視図である。
【図３】本発明に係るジュニアシート用補助具の使用状態を表した説明図である。
【図４】従来一般のジュニアシートの外観斜視図である。
【発明を実施するための形態】
【００１０】
以下、本発明を実施するための形態に関しその一例を図面を用いて説明する。
図１（ａ）は、本発明に係るジュニアシート用補助具（以下「補助具」という）の一例を表した外観斜視図であり、１は当該補助具を表している。また、図１（ｂ）は、補助具１が使用される際の状態を表したイメージ図である。以下、当該補助具１の構造について説明する。
【００１１】
補助具１は、台型のチャイルドシートとして形成されたジュニアシートに対する装着に適しており、主な構成として当該ジュニアシートに対する固定手段２、車載されているシートベルトとの係合手段３、ジュニアシートに座った小児の股間部を保持する股間当接部４を有している。また、当該補助具１は、固定手段２に取り付けられたバックル５、６を除き、１本のベルトによって形成されている。
【００１２】
固定手段２は、合成繊維によって平織された幅約２乃至４ｃｍ、全長約１２０ｃｍ程度のベルト７によって形成されたものである。当該ベルト７の両端には、雄雌一対で構成され互いに着脱可能に結合することができる合成樹脂製のバックル５、６が取り付けられている（図１（ｂ）参照）。当該バックル５、６の一方または双方には、ベルト７の全長を可変するための調節機構が設けられている。固定手段２として用いるベルト７の全長は、前記バックル５、６の調節機構を使用して、装着するジュニアシートの着座面における全周長と同程度の長さに調節される。
【００１３】
ベルト７の略中央には、当該ベルト７と連続するベルトの一部を折り返して重ね合わせ、当該重ね合わせた部分を互いに結合することによって形成した股間当接部４が設けられている。すなわち、当該股間当接部４は、ベルトの略中間部を重ね合わせて形成したものであるので、ベルト７の側面から突出するように設けられている（図１（ａ）参照）。
当該股間当接部４の下方に位置するベルト７との境界部分には、縫い糸によって強固に縫製された結合部８が設けられている。
また、当該股間当接部４の上方に位置する折り返し部は、互いに結合せずに環状部として形成されている。当該環状部が車載されているシートベルトを挿通させる係合手段３となっている。
【００１４】
上記補助具１は、図４に示したようなジュニアシートＸに対して装着されるものである。図２は当該ジュニアシートＸに補助具１を装着した場合を表した説明図である。
補助具１は、ジュニアシートＸの着座面Ｙの略中央において、前後方向に亘る全周を周回するように装着したベルト７によって取り付けられるようになっている。この際、ベルト７はジュニアシートＸの外周（全周）に対して密着するように、バックルに設けられている調節機構によってベルト７の長さが調節される。また、同時に股間当接部４が着座する小児の股間位置に配置されるように位置が調整される。
【００１５】
図３は、上記補助具１を装着したジュニアシートＸの使用例として、補助具１を装着したジュニアシートＸを自動車の後部座席Ｚに搭載した例であり、ジュニアシートＸに小児Ｃを着座させ、これを車載されている３点式のシートベルトＳによって拘束した状態を表している。
シートベルトＳによって小児Ｃを拘束する際、シートベルトＳに設けられている取付金具Ｋ１を補助具１の股間当接部４上方に形成した環状部（係合部３）内を挿通させた後に、車体側固定具Ｋ２に固定する。
【００１６】
シートベルトＳを補助具１の係合部３内に挿通させると、シートベルトＳの張力によって股間当接部４が持ち上げられる。この際、股間当接部４の下端はジュニアシートＸ側に固定されているので、当該股間当接部４の可動範囲が制限されることになる。
そして、股間当接部４が着座している小児Ｃの股間部に当接することで小児Ｃの前方への移動を防ぐことができ、これにより小児ＣによるシートベルトＳのすり抜け行為を防止できるようになっている。
【００１７】
また、本実施の形態では、係合部３をシートベルトＳを挿通させる環状部として形成したものであるから、シートベルトＳとの係合、離脱を極めて簡単に行うことができるようになっている。すなわち、小児ＣをシートベルトＳによって拘束する場合には、環状部にシートベルトＳを通すだけでよく、当該拘束を解除するには環状部からシートベルトＳを抜くだけという極めて操作が簡単なものとなっている。
【００１８】
なお、上記した補助具は、一例としてジュニアシートＸに対する固定手段を、チャイルドシートの外周に装着するベルトによって構成したものである。しかし、他の例として、ジュニアシートＸの着座面に取付金具等を設け当該取付金具に股間当接部の下端を直接的に取り付けるよう構成しても差し支えがないものである。
また、上記した補助具は、一例として固定手段と股間当接部をベルトによって一体的に形成したものであるが、これらを個々に形成し、金具等を用いて互いに連結させて使用するように構成しても差し支えが無いものである。
さらに、上記した補助具は股間当接部を化学繊維を用いた平織布によるベルトによって構成したものであるが、前述した機能を有するものであれば、軟質の合成樹脂体による一体成形品によって構成しても差し支えがないものである。
【産業上の利用可能性】
【００１９】
本発明は、自動車に搭載するジュニアシートに利用可能である。
【符号の説明】
【００２０】
１ 
補助具
２  固定手段
３  係合手段
４  股間当接部
【図１】
2010184617.tif 000003
【図２】
2010184617.tif 000004
【図３】
2010184617.tif 000005
【図４】
2010184617.tif 000006